(57)【要約】  本開示は、ネットワーク通信の状態検出方法、設定方法、端末及びネットワーク機器を提供し、通信技術分野に係る。端末に応用される該ネットワーク通信の状態検出方法において、無線リンク監視ＲＬＭ及び／又はビーム障害検出ＢＦＤを含む基準状態の監視設定パラメータであって、基準状態設定パラメータを少なくとも１セット含む監視設定パラメータを取得することと、前記監視設定パラメータに基づいて、前記基準状態に対応する検出プロセスを行うこととを含む。【選択図】  図１
2021530924.tif 000002
【特許請求の範囲】
【請求項１】
端末に応用されるネットワーク通信の状態検出方法であって、
無線リンク監視ＲＬＭ及び／又はビーム障害検出ＢＦＤを含む基準状態の監視設定パラメータであって、基準状態設定パラメータを少なくとも１セット含む監視設定パラメータを取得することと、
前記監視設定パラメータに基づいて、前記基準状態に対応する検出プロセスを行うこととを含む、ネットワーク通信の状態検出方法。
【請求項２】
前記監視設定パラメータは、
端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分（ＢＷＰ）に対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む、請求項１に記載のネットワーク通信の状態検出方法。
【請求項３】
少なくとも１つのＢＷＰは、少なくとも１つの活性化されたＢＷＰ及び／又は少なくとも１つの設定されたＢＷＰを含み、前記少なくとも１つのセルは、少なくとも１つのサービングセル及び／又は少なくとも１つの設定されたセルを含む、請求項２に記載のネットワーク通信の状態検出方法。
【請求項４】
前記１セットの基準状態設定パラメータは、
前記基準状態に対する所定カウンタ、前記基準状態に対するタイマの設定時間の長さのうちの少なくとも１つを含み、
ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む、請求項１に記載のネットワーク通信の状態検出方法。
【請求項５】
前記の前記監視設定パラメータに基づいて、前記基準状態に対応する検出プロセスを行うことは、
端末に対して設定した１つの基準状態プロセスの実行、基準信号ＲＳに対して設定した少なくとも１つの基準状態プロセスの実行、基準信号ＲＳセットに対して設定した少なくとも１つの基準状態プロセスの実行、ＢＷＰに対して設定した少なくとも１つの基準状態プロセスの実行、帯域幅に対して設定した少なくとも１つの基準状態プロセスの実行、帯域幅の組み合わせに対して設定した少なくとも１つの基準状態プロセスの実行、セルに対して設定した少なくとも１つの基準状態プロセスの実行、及び、キャリアに対して設定した少なくとも１つの基準状態プロセスの実行のうちの少なくとも１つを含む、請求項１に記載のネットワーク通信の状態検出方法。
【請求項６】
少なくとも２つの基準状態プロセスが実行される場合、前記の前記監視設定パラメータに基づいて、前記基準状態に対応する検出プロセスを行うことは、
基準状態プロセスの各々を１つの基準信号ＲＳに対応させること、基準状態プロセスの各々を１つの基準信号ＲＳセットに対応させること、基準状態プロセスの各々を１つのＢＷＰに対応させること、基準状態プロセスの各々を１つのセルに対応させること、基準状態プロセスの各々を１つのキャリアに対応させること、基準状態プロセスの各々を１つの帯域幅に対応させること、及び、基準状態プロセスの各々を帯域幅の組み合わせの１つに対応させることのうちの少なくとも１つを更に含む、請求項５に記載のネットワーク通信の状態検出方法。
【請求項７】
前記基準状態プロセスの各々を１つのセルに対応させることは、
端末を少なくとも２つのセルで少なくとも２つの基準状態プロセスに対応させることを含む、請求項６に記載のネットワーク通信の状態検出方法。
【請求項８】
前記少なくとも２つのセルは、サービングセル及び／又は設定されたセルを含む、請求項７に記載のネットワーク通信の状態検出方法。
【請求項９】
前記少なくとも２つのセルは、少なくとも１つのプライマリセル及び／又は少なくとも１つのセカンダリセルを含む、請求項７に記載のネットワーク通信の状態検出方法。
【請求項１０】
前記の前記監視設定パラメータに基づいて、前記基準状態に対応する検出プロセスを行うことは、
少なくとも１つの基準状態プロセスの実行中に基準状態リセット条件が存在する場合、目標基準状態のリセットを行うことを更に含む、請求項５に記載のネットワーク通信の状態検出方法。
【請求項１１】
前記基準状態リセット条件は、
基準信号ＲＳ、基準信号ＲＳセット、ＢＷＰ、セル、キャリア、帯域幅及び帯域幅の組み合わせのうちの少なくとも１つを含む目標リソースの少なくとも１つにリセット、再設定、活性化、非活性化又はハンドオーバが存在すること、及び、基準状態に対応する設定情報にリセット又は再設定が存在することのうちの１つを含む、請求項１０に記載のネットワーク通信の状態検出方法。
【請求項１２】
前記設定情報は、基準状態設定パラメータ、及び、基準状態に対応する目標リソースのうちの少なくとも１つを含む、請求項１１に記載のネットワーク通信の状態検出方法。
【請求項１３】
前記目標基準状態は、
端末、基準信号ＲＳ、基準信号ＲＳセット、ＢＷＰ、セル、キャリア、帯域幅及び帯域幅の組み合わせのうちの少なくとも１つに対して設定された基準状態、及び、
リセットが存在する基準信号ＲＳ、基準信号ＲＳセット、ＢＷＰ、セル、キャリア、帯域幅及び帯域幅の組み合わせのうちの少なくとも１つに対して設定される基準状態のうちの１つを含む、請求項１０に記載のネットワーク通信の状態検出方法。
【請求項１４】
前記の目標基準状態のリセットを行うことは、
目標基準状態に対応する基準状態設定パラメータのうちの少なくとも一部のパラメータをリセットすることを含む、請求項１０に記載のネットワーク通信の状態検出方法。
【請求項１５】
前記の少なくとも一部のパラメータをリセットすることは、
タイマのリセット又は停止、及び、所定カウンタのリセットのうちの少なくとも１つを含み、
ここで、基準状態に無線リンク監視ＲＬＭが含まれる場合、前記所定カウンタは、非同期カウンタ及び同期カウンタを含み、基準状態にビーム障害検出ＢＦＤが含まれる場合、前記所定カウンタは、ビーム障害インスタンスカウンタを含む、請求項１４に記載のネットワーク通信の状態検出方法。
【請求項１６】
ネットワーク機器に応用されるネットワーク通信の検出設定方法であって、
無線リンク監視ＲＬＭ及び／又はビーム障害検出ＢＦＤを含む基準状態の監視設定パラメータであって、基準状態設定パラメータを少なくとも１セット含む監視設定パラメータを端末に送信することを含む、ネットワーク通信の検出設定方法。
【請求項１７】
前記監視設定パラメータは、
端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分（ＢＷＰ）に対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む、請求項１６に記載のネットワーク通信の検出設定方法。
【請求項１８】
少なくとも１つのＢＷＰは、少なくとも１つの活性化されたＢＷＰ及び／又は少なくとも１つの設定されたＢＷＰを含み、前記少なくとも１つのセルは、少なくとも１つのサービングセル及び／又は少なくとも１つの設定されたセルを含む、請求項１７に記載のネットワーク通信の検出設定方法。
【請求項１９】
前記１セットの基準状態設定パラメータは、
前記基準状態に対する所定カウンタ、前記基準状態に対するタイマの設定時間の長さのうちの少なくとも１つを含み、
ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む、請求項１７に記載のネットワーク通信の検出設定方法。
【請求項２０】
無線リンク監視ＲＬＭ及び／又はビーム障害検出ＢＦＤを含む基準状態の監視設定パラメータであって、基準状態設定パラメータを少なくとも１セット含む監視設定パラメータを取得する取得モジュールと、
前記監視設定パラメータに基づいて、前記基準状態に対応する検出プロセスを行う測定モジュールとを含む、端末。
【請求項２１】
前記監視設定パラメータは、
端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分（ＢＷＰ）に対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む、請求項２０に記載の端末。
【請求項２２】
前記１セットの基準状態設定パラメータは、
前記基準状態に対する所定カウンタ、前記基準状態に対するタイマの設定時間の長さのうちの少なくとも１つを含み、
ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む、請求項２０に記載の端末。
【請求項２３】
前記測定モジュールは、
端末に対して設定した１つの基準状態プロセスの実行、基準信号ＲＳに対して設定した少なくとも１つの基準状態プロセスの実行、基準信号ＲＳセットに対して設定した少なくとも１つの基準状態プロセスの実行、ＢＷＰに対して設定した少なくとも１つの基準状態プロセスの実行、帯域幅に対して設定した少なくとも１つの基準状態プロセスの実行、帯域幅の組み合わせに対して設定した少なくとも１つの基準状態プロセスの実行、セルに対して設定した少なくとも１つの基準状態プロセスの実行、及び、キャリアに対して設定した少なくとも１つの基準状態プロセスの実行のうちの少なくとも１つの実行に用いられる、請求項２０に記載の端末。
【請求項２４】
少なくとも２つの基準状態プロセスが実行される場合、前記測定モジュールは、
基準状態プロセスの各々を１つの基準信号ＲＳに対応させること、基準状態プロセスの各々を１つの基準信号ＲＳセットに対応させること、基準状態プロセスの各々を１つのＢＷＰに対応させること、基準状態プロセスの各々を１つのセルに対応させること、基準状態プロセスの各々を１つのキャリアに対応させること、基準状態プロセスの各々を１つの帯域幅に対応させること、及び、基準状態プロセスの各々を帯域幅の組み合わせの１つに対応させることのうちの少なくとも１つを更に実行する、請求項２３に記載の端末。
【請求項２５】
前記測定モジュールは、
少なくとも１つの基準状態プロセスの実行中に基準状態リセット条件が存在する場合、目標基準状態のリセットを行うセットユニットを更に含む、請求項２３に記載の端末。
【請求項２６】
メモリと、プロセッサと、メモリに格納されてプロセッサで実行されるコンピュータプログラムとを含む端末であって、
前記コンピュータプログラムが前記プロセッサによって実行されると、請求項１〜１５のいずれか１項に記載のネットワーク通信の状態検出方法のステップが実現される、端末。
【請求項２７】
コンピュータプログラムが格納されているコンピュータ読み取り可能な記憶媒体であって、
前記コンピュータプログラムがプロセッサによって実行されると、請求項１〜１５のいずれか１項に記載のネットワーク通信の状態検出方法のステップが実現される、コンピュータ読み取り可能な記憶媒体。
【請求項２８】
無線リンク監視ＲＬＭ及び／又はビーム障害検出ＢＦＤを含む基準状態の監視設定パラメータであって、基準状態設定パラメータを少なくとも１セット含む監視設定パラメータを端末に送信する送信モジュールを含む、ネットワーク機器。
【請求項２９】
メモリと、プロセッサと、メモリに格納されてプロセッサで実行されるコンピュータプログラムとを含むネットワーク機器であって、
前記コンピュータプログラムが前記プロセッサによって実行されると、請求項１６〜１９のいずれか１項に記載のネットワーク通信の検出設定方法のステップが実現される、ネットワーク機器。
【請求項３０】
コンピュータプログラムが格納されているコンピュータ読み取り可能な記憶媒体であって、
前記コンピュータプログラムがプロセッサによって実行されると、請求項１６〜１９のいずれか１項に記載のネットワーク通信の検出設定方法のステップが実現される、コンピュータ読み取り可能な記憶媒体。
【発明の詳細な説明】
【技術分野】
【０００１】
（関連出願の相互基準）
本願は、２０１８年７月１８日に中国特許庁に提出された中国特許出願２０１８１０７９２２３６．１の優先権を主張し、その全ての内容が援用によりここに取り込まれる。
本開示は、通信技術分野に係り、特にネットワーク通信の状態検出方法、設定方法、端末及びネットワーク機器に係る。
【背景技術】
【０００２】
ロングタームエボリューションＬＴＥ（Ｌｏｎｇ  Ｔｅｒｍ  Ｅｖｏｌｕｔｉｏｎ）の無線リンク監視ＲＬＭ（ｒａｄｉｏ  ｌｉｎｋ  ｍｏｎｉｔｏｒ）機能として、ユーザ機器ＵＥ（Ｕｓｅｒ  Ｅｑｕｉｐｍｅｎｔ）は、物理ダウンリンク制御チャネルＰＤＣＣＨ（Ｐｈｙｓｉｃａｌ  Ｄｏｗｎｌｉｎｋ  Ｃｏｎｔｒｏｌ  Ｃｈａｎｎｅｌ）の一部のセル基準信号ＣＲＳ（Ｃｅｌｌ  Ｒｅｆｅｒｅｎｃｅ  Ｓｉｇｎａｌ）の信号対干渉プラス雑音比ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）を測定することによって、無線リンクの監視を実現する。測定されたＰＤＣＣＨの一部のＣＲＳが所定の閾値を下回る場合、該無線リンクは、「非同期ＯＯＳ（ｏｕｔ−ｏｆ−ｓｙｎｃ）」とされる。そうすると、１つのｏｕｔ−ｏｆ−ｓｙｎｃ（ＯＯＳ）指示は、物理レイヤから上位レイヤ（無線リソース制御ＲＲＣ（Ｒａｄｉｏ  Ｒｅｓｏｕｒｃｅ  Ｃｏｎｔｒｏｌ）レイヤ）に通知される。ＲＲＣレイヤにＮ個のｏｕｔ−ｏｆ−ｓｙｎｃ指示が連続して指示される場合、ユーザ機器ＵＥは、Ｔｉｍｅｒ  Ｔ１をオンにする。
【０００３】
測定されたＰＤＣＣＨの一部のＣＲＳが所定の閾値よりも高い場合、該無線リンクは、「同期ＩＳ（ｉｎ−ｓｙｎｃ）」とされる。１つのｉｎ−ｓｙｎｃ（ＩＳ）指示は、物理レイヤから上位レイヤ（ＲＲＣレイヤ）に通知される。ＲＲＣレイヤにＭ個のｉｎ−ｓｙｎｃ指示が連続して指示される場合、ユーザ機器ＵＥは、Ｔｉｍｅｒ  Ｔ１の動作を停止する。
【０００４】
ｔｉｍｅｒ  Ｔ１がタイムアウトすると、ユーザ機器ＵＥは、無線リンク障害ＲＬＦ（Ｒａｄｉｏ  Ｌｉｎｋ  Ｆａｉｌｕｒｅ）と判定する。
【０００５】
ここで「ｏｕｔ−ｏｆ−ｓｙｎｃ」及び「ｉｎ−ｓｙｎｃ」のカウント数は、ネットワークによって設定されるものであり、即ちＮ又はＭである。その回数に達した後にＴｉｍｅｒが実行される時間の長さも、ネットワーク側から設定可能である。
【０００６】
５Ｇ  ＮＲ（５ｔｈ  Ｇｅｎｅｒａｔｉｏｎ  Ｎｅｗ  Ｒａｄｉｏ）システムでは、ＲＡＮ１会議のＮＲ議論において、ＮＲにおける無線リンク監視ＲＬＭのための基準信号がＬＴＥと異なることが承認されており、無線リンク監視ＲＬＭのためにチャネル状態情報基準信号ＣＳＩ−ＲＳ（Ｃｈａｎｎｅｌ  Ｓｔａｔｅ  Ｉｎｆｏｒｍａｔｉｏｎ  Ｒｅｆｅｒｅｎｃｅ  Ｓｉｇｎａｌ）及び／又は同期信号ブロックＳＳＢ（Ｓｙｎｃｈｒｏｎｉｓａｔｉｏｎ  Ｓｉｇｎａｌ  Ｂｌｏｃｋ）を基準信号とする。
【０００７】
ここで、ＳＳＢとＣＳＩ−ＲＳは、ＮＲの２種類の基準信号である。
【０００８】
ビーム障害検出ＢＦＤ（Ｂｅａｍ  ｆａｉｌｕｒｅ  ｄｅｔｅｃｔｉｏｎ）も、無線リンク監視ＲＬＭに似た実現プロセスを有する。
【０００９】
関連技術において、ネットワークから、ユーザのための無線リンク監視（又はビーム障害検出ＢＦＤ）のパラメータをサービングセルに設定し、無線リンク監視の基準信号がリセットされると、無線リンク監視ＲＬＭ（又はビーム障害検出ＢＦＤ）の動作中のカウンタ又はタイマがリセットされる。しかし、関連技術では、複数の基準信号ＲＳ、帯域幅部分ＢＷＰ（Ｂａｎｄｗｉｄｔｈ  ｐａｒｔ）、セルなどに複数の無線リンク監視ＲＬＭプロセス（又はビーム障害検出ＢＦＤプロセス）がある場合の動作について、規定されていない。関連技術では、基準信号ＲＳ又は基準信号ＲＳセットの一部又は全部をリセットしたり、ＢＷＰの一部又は全部を再設定したりリセットしたりする際に、無線リンク監視ＲＬＭ（又はビーム障害検出ＢＦＤ）のタイマ又はカウンタの動作について、規定されていない。
【発明の概要】
【発明が解決しようとする課題】
【００１０】
本開示の一部実施例は、複数の基準信号ＲＳ、ＢＷＰ、セルなどに複数の無線リンク監視ＲＬＭプロセス又は複数のビーム障害検出ＢＦＤプロセスがある場合に、端末がどの無線リンク監視ＲＬＭプロセス又はどのビーム障害検出ＢＦＤプロセスを使用するかを決定することが関連技術で提案されておらず、ネットワーク通信の信頼性を保証することができないという問題を解決するために、ネットワーク通信の状態検出方法、設定方法、端末及びネットワーク機器を提供する。
【課題を解決するための手段】
【００１１】
第１態様として、本開示の一部実施例は、端末に応用されるネットワーク通信の状態検出方法を提供し、無線リンク監視ＲＬＭ及び／又はビーム障害検出ＢＦＤを含む基準状態の監視設定パラメータであって、基準状態設定パラメータを少なくとも１セット含む監視設定パラメータを取得することと、前記監視設定パラメータに基づいて、前記基準状態に対応する検出プロセスを行うこととを含む。
【００１２】
第２態様として、本開示の一部実施例は、ネットワーク機器に応用されるネットワーク通信の検出設定方法を提供し、無線リンク監視ＲＬＭ及び／又はビーム障害検出ＢＦＤを含む基準状態の監視設定パラメータであって、基準状態設定パラメータを少なくとも１セット含む監視設定パラメータを端末に送信することを含む。
【００１３】
第３態様として、本開示の一部実施例は、無線リンク監視ＲＬＭ及び／又はビーム障害検出ＢＦＤを含む基準状態の監視設定パラメータであって、基準状態設定パラメータを少なくとも１セット含む監視設定パラメータを取得する取得モジュールと、前記監視設定パラメータに基づいて、前記基準状態に対応する検出プロセスを行う測定モジュールとを含む端末を提供する。
【００１４】
第４態様として、本開示の一部実施例は、メモリと、プロセッサと、メモリに格納されてプロセッサで実行されるコンピュータプログラムとを含む端末を提供し、前記コンピュータプログラムが前記プロセッサによって実行されると、上記のネットワーク通信の状態検出方法のステップが実現される。
【００１５】
第５態様として、本開示の一部実施例は、コンピュータプログラムが格納されているコンピュータ読み取り可能な記憶媒体を提供し、前記コンピュータプログラムがプロセッサによって実行されると、上記のネットワーク通信の状態検出方法のステップが実現される。
【００１６】
第６態様として、本開示の一部実施例は、無線リンク監視ＲＬＭ及び／又はビーム障害検出ＢＦＤを含む基準状態の監視設定パラメータであって、基準状態設定パラメータを少なくとも１セット含む監視設定パラメータを端末に送信する送信モジュールを含むネットワーク機器を提供する。
【００１７】
第７態様として、本開示の一部実施例は、メモリと、プロセッサと、メモリに格納されてプロセッサで実行されるコンピュータプログラムとを含むネットワーク機器を提供し、前記コンピュータプログラムが前記プロセッサによって実行されると、上記のネットワーク通信の検出設定方法のステップが実現される。
【００１８】
第８態様として、本開示の一部実施例は、コンピュータプログラムが格納されているコンピュータ読み取り可能な記憶媒体を提供し、前記コンピュータプログラムがプロセッサによって実行されると、上記のネットワーク通信の検出設定方法のステップが実現される。
【発明の効果】
【００１９】
上記の技術手段において、無線リンク監視ＲＬＭ（又はビーム障害検出ＢＦＤ）の監視設定パラメータによって、前記無線リンク監視ＲＬＭ（又はビーム障害検出ＢＦＤ）に対応する検出プロセスを実行する。それによって、複数の基準信号ＲＳ、ＢＷＰ、セル等に複数の無線リンク監視ＲＬＭプロセス（又は複数のビーム障害検出ＢＦＤプロセス）を有する場合、どの無線リンク監視ＲＬＭプロセス（又はどのビーム障害検出ＢＦＤプロセス）を端末が使用するかを決定することで、通信フローを完全にし、ネットワーク通信の信頼性を保証する。
【図面の簡単な説明】
【００２０】
【図１】本開示の一部実施例に係るネットワーク通信の状態検出方法のフローチャートである。
【図２】本開示の一部実施例に係るネットワーク通信の検出設定方法のフローチャートである。
【図３】本開示の一部実施例に係る端末のモジュール図である。
【図４】本開示の一部実施例に係る端末の構造ブロック図である。
【図５】本開示の一部実施例に係るネットワーク機器のモジュール図である。
【図６】本開示の一部実施例に係るネットワーク機器の構造ブロック図である。
【発明を実施するための形態】
【００２１】
本開示の目的、技術手段及び利点をより明確化するために、以下、図面及び具体的な実施例に関連して本開示を詳細に記載する。
【００２２】
本開示の一部実施例を説明する前に、まず、以下の記載に用いられる一部の概念を説明する。
【００２３】
５Ｇ  ＮＲシステムにおいて、１つのセルは、より大きなシステム及びユーザスループットをサポートするために、最大４００ＭＨｚまでのシステム帯域幅をサポートし、ＬＴＥの最大２０ＭＨｚのシステム帯域幅よりもはるかに大きい。しかしながら、そのような大きなシステム帯域幅をサポートすることは、ユーザ機器ＵＥの実現にとって大きな課題であり、低コストユーザ機器ＵＥの実現にとって不利である。従って、５Ｇ  ＮＲシステムは、狭帯域の端末ユーザ又は省電力モードの端末ユーザのアクセスをサポートするために、動的且つ柔軟な帯域幅割り当てもサポートし、システム帯域幅を複数の帯域幅部分ＢＷＰ（ｂａｎｄｗｉｄｔｈ  ｐａｒｔ）に分割する。
【００２４】
５Ｇ  ＮＲシステムは、６ＧＨｚ以上の動作周波数帯をサポートし、データ伝送のために、より大きなスループットを提供することができる。高周波信号は、波長が短く、低周波帯域に比べて、同じ大きさのパネルに多くのアンテナ素子を配置することができ、ビームフォーミング技術を用いて指向性が強く、ローブが狭い複数のビームを形成することができる。５Ｇ  ＮＲシステムは、ビームスキャン技術によって、セル内の端末ユーザにブロードキャスト信号又はシステム情報を送信する。
【００２５】
同時に、ＮＲセルでは、異なる帯域幅で異なるＮｕｍｅｒｏｌｏｇｙ（即ち、パラメータ設定）を設定することもサポートされる。ユーザ機器ＵＥがセルのＮｕｍｅｒｏｌｏｇｙの全てをサポートできない場合、ＢＷＰをユーザ機器ＵＥに設定する際に、対応する帯域をユーザ機器ＵＥに設定することを避けることができる。
【００２６】
ネットワークは、ＲＲＣシグナリングを介して、ユーザ機器ＵＥのために各セルに利用可能なＢＷＰセットを設定し、活性にすることが必要なＢＷＰをＬ１シグナリングを介して動的に切り替え、即ち、１つのＢＷＰを活性化すると同時に、現在活性化されているＢＷＰを非活性化する。更に、ＢＷＰハンドオーバは、活性化タイマ（ｂｗｐ−ｉｎａｃｔｉｖｅＴｉｍｅｒ）によって制御されてもよい。即ち、該タイマがタイムアウトすると、ユーザ機器ＵＥは、デフォルト（ｄｅｆａｕｌｔ）のダウンリンクＤＬ（ＤｏｗｎＬｉｎｋ）  ＢＷＰ又は初期（ｉｎｉｔｉａｌ）  ＤＬ  ＢＷＰに自律的にハンドオーバする。
【００２７】
本開示は、複数の基準信号ＲＳ、ＢＷＰ、セルなどに複数の無線リンク監視ＲＬＭプロセス又は複数のビーム障害検出ＢＦＤプロセスがある場合に、端末がどの無線リンク監視ＲＬＭプロセス又はどのビーム障害検出ＢＦＤプロセスを使用するかを決定することが関連技術で提案されておらず、ネットワーク通信の信頼性を保証することができないという問題に対し、ネットワーク通信の状態検出方法、設定方法、端末及びネットワーク機器を提供する。
【００２８】
図１に示すように、本開示の一部実施例に係る、端末に応用されるネットワーク通信の状態検出方法は、以下のステップを含む。
【００２９】
ステップ１０１において、基準状態の監視設定パラメータを取得する。
【００３０】
なお、前記基準状態は、無線リンク監視（ＲＬＭ）及び／又はビーム障害検出（ビーム障害検出ＢＦＤ）を含む。
【００３１】
更に、前記監視設定パラメータは、基準状態設定パラメータを少なくとも１セット含む。具体的には、前記１セットの基準状態設定パラメータは、前記基準状態に対する所定カウンタ、及び、前記基準状態に対するタイマの設定時間の長さのうちの少なくとも１つを含む。ここで、前記基準状態に無線リンク監視ＲＬＭが含まれる場合、前記所定カウンタは、下位レイヤの非同期指示をカウントするための非同期カウンタ及び同期指示をカウントするための同期カウンタを含む。前記基準状態にビーム障害検出ＢＦＤが含まれる場合、前記所定カウンタは、下位レイヤで指示されるビーム障害インスタンス（Ｂｅａｍ  Ｆａｉｌｕｒｅ  Ｉｎｓｔａｎｃｅ）をカウントするためのビーム障害インスタンスカウンタを含む。
【００３２】
ステップ１０２において、前記監視設定パラメータに基づいて、前記基準状態に対応する検出プロセスを行う。
【００３３】
なお、本開示の一部実施例において、監視設定パラメータに少なくとも１セットの基準状態設定パラメータが含まれる場合、無線リンク監視ＲＬＭの監視設定パラメータに基づいて無線リンク監視ＲＬＭプロセスを行い、又は、ビーム障害検出ＢＦＤの監視設定パラメータに基づいてビーム障害検出ＢＦＤプロセスを行うことによって、どの無線リンク監視ＲＬＭプロセス（又はどのビーム障害検出ＢＦＤプロセス）を端末が使用するかを明確にすることができる。
【００３４】
前記監視設定パラメータは、以下の情報のうちの少なくとも１つを含む。
Ａ１．端末に対して設定された１セットの基準状態設定パラメータ。
この場合、基準状態設定パラメータは、端末毎に設定される。即ち、１つの端末は、１セットの基準状態設定パラメータを有する。即ち、１つの端末は、１セットの無線リンク監視ＲＬＭパラメータを有し、又は、１つの端末は、１セットのビーム障害検出ＢＦＤパラメータを有する。
Ａ２．端末の少なくとも１つの基準信号（ＲＳ）に対して設定された少なくとも１セットの基準状態設定パラメータ。
なお、基準信号ＲＳには、ＳＳＢ及び／又はＣＳＩ−ＲＳが含まれる。
この場合、基準状態設定パラメータは、基準信号ＲＳに対して設定される。即ち、端末の１つの基準信号に対し、１セットの基準状態設定パラメータが設定される。更に、基準状態設定パラメータの設定は、必ずしも基準信号ＲＳに厳密に対応する必要がなく、端末の基準信号ＲＳ毎に１セットの基準状態設定パラメータが設定される場合もあれば、一部の基準信号ＲＳにのみ基準状態設定パラメータが設定される場合もある。
Ａ３．端末の少なくとも１つの基準信号ＲＳセットに対して設定された少なくとも１セットの基準状態設定パラメータ。
この場合、基準状態設定パラメータは、基準信号ＲＳセットに対して設定される。即ち、端末の１つの基準信号ＲＳセットに対し、１セットの基準状態設定パラメータが設定される。更に、基準状態設定パラメータは、必ずしも基準信号ＲＳセットに厳密に対応する必要がなく、端末の基準信号ＲＳセット毎に１セットの基準状態設定パラメータが設定される場合もあれば、一部の基準信号ＲＳセットにのみ基準状態設定パラメータが設定される場合もある。
Ａ４．端末の少なくとも１つの帯域幅部分ＢＷＰに対して設定された少なくとも１セットの基準状態設定パラメータ。
ここで、少なくとも１つのＢＷＰは、少なくとも１つの活性化されたＢＷＰ及び／又は少なくとも１つの設定されたＢＷＰを含む。
この場合、基準状態設定パラメータは、ＢＷＰに対して設定される。即ち、１つのＢＷＰ（端末の活性化されたＢＷＰでもよいし、端末の設定されたＢＷＰでもよい）に対して１セットの基準状態設定パラメータが設定される。更に、基準状態設定パラメータは、必ずしもＢＷＰに厳密に対応する必要がなく、端末のＢＷＰ毎に１セットの基準状態設定パラメータが設定される場合もあれば、一部のＢＷＰにのみ基準状態設定パラメータが設定される場合もある。
Ａ５．端末の少なくとも１つのセルに対し設定された少なくとも１セットの基準状態設定パラメータ。
ここで、前記少なくとも１つのセルは、少なくとも１つのサービングセル及び／又は少なくとも１つの設定されたセルを含む。
この場合、基準状態設定パラメータは、セルに対して設定される。即ち、１つのセル（端末のサービングセルでもよいし、端末の設定されたセルでもよい）に対して、１セットの基準状態設定パラメータが設定される。更に、基準状態設定パラメータは、必ずしもセルに厳密に対応する必要はなく、端末のセル毎に１セットの基準状態設定パラメータが設定される場合もあれば、一部のセルにのみ基準状態設定パラメータが設定される場合もある。
Ａ６．端末の少なくとも１つのキャリアに対して設定された少なくとも１セットの基準状態設定パラメータ。
この場合、基準状態設定パラメータは、キャリアに対して設定される。即ち、端末の１つのキャリアに対して１セットの基準状態設定パラメータが設定される。更に、基準状態設定パラメータは、必ずしもキャリアに厳密に対応する必要はなく、端末のキャリア毎に１セットの基準状態設定パラメータが設定される場合もあれば、一部のキャリアにのみ基準状態設定パラメータが設定される場合もある。
Ａ７．端末の少なくとも１つの帯域幅又は帯域幅の組み合わせの少なくとも１つに対して設定された少なくとも１セットの基準状態設定パラメータ。
この場合、基準状態設定パラメータは、帯域幅（又は帯域幅の組み合わせ）に対して設定される。即ち、端末の１つの帯域幅（又は帯域幅の組み合わせ）に対して１セットの基準状態設定パラメータが設定される。更に、基準状態設定パラメータは、必ずしも帯域幅（又は帯域幅の組み合わせ）に厳密に対応する必要はなく、端末の帯域幅（又は帯域幅の組み合わせ）毎に１セットの基準状態設定パラメータが設定される場合もあれば、一部の帯域幅（又は帯域幅の組み合わせ）のみに基準状態設定パラメータが設定される場合もある。
【００３５】
更に、各セットの基準状態設定パラメータは、１つの検出プロセスに対応する。即ち、１セットの無線リンク監視ＲＬＭパラメータは、１つの無線リンク監視ＲＬＭプロセスに対応し、１セットのビーム障害検出ＢＦＤパラメータは、１つのビーム障害検出ＢＦＤプロセスに対応する。
【００３６】
更に、複数の基準状態プロセスは、同じ基準状態設定パラメータ又は異なる基準状態設定パラメータを使用することができる。複数の基準状態プロセスが実行中であることは、複数のタイマが計時していること、及び／又は、複数のカウンタがカウントしていることを意味する。
【００３７】
更に、前記の前記監視設定パラメータに基づいて、前記基準状態に対応する検出プロセスを行うことは、以下の態様のうちの少なくとも１つを含む。
Ｂ１．端末に対して設定された１つの基準状態プロセスを実行する。
即ち、１つの端末に対して１つの基準状態プロセスのみを実行する。例えば、基準状態に無線リンク監視ＲＬＭが含まれる場合は、その端末に対して設定された１つの無線リンク監視ＲＬＭプロセスを実行し、基準状態にビーム障害検出ＢＦＤが含まれる場合は、その端末に対して設定されたビーム障害検出ＢＦＤプロセスを実行する。
Ｂ２．基準信号ＲＳに対して設定された少なくとも１つの基準状態プロセスを実行する。
なお、該基準信号ＲＳは、端末の設定された基準信号ＲＳ又は端末に使用される基準信号ＲＳである。
例えば、基準状態に無線リンク監視ＲＬＭが含まれる場合は、基準信号ＲＳに対して設定された少なくとも１つの無線リンク監視ＲＬＭプロセスを実行し、基準状態にビーム障害検出ＢＦＤが含まれる場合は、基準信号ＲＳに対して設定された少なくとも１つのビーム障害検出ＢＦＤプロセスを実行する。
Ｂ３．基準信号ＲＳセットに対して設定された少なくとも１つの基準状態プロセスを実行する。
なお、該基準信号ＲＳセットは、端末の設定された基準信号ＲＳセット又は端末に使用される基準信号ＲＳセットである。
例えば、基準状態に無線リンク監視ＲＬＭが含まれる場合は、基準信号ＲＳセットに対して設定された少なくとも１つの無線リンク監視ＲＬＭプロセスを実行し、基準状態にビーム障害検出ＢＦＤが含まれる場合は、基準信号ＲＳセットに対して設定された少なくとも１つのビーム障害検出ＢＦＤプロセスを実行する。
Ｂ４．ＢＷＰに対して設定された少なくとも１つの基準状態プロセスを実行する。
なお、該ＢＷＰは、端末の活性化されたＢＷＰであってもよいし、端末の設定されたＢＷＰであってもよい。
例えば、基準状態に無線リンク監視ＲＬＭが含まれる場合は、ＢＷＰに対して設定された少なくとも１つの無線リンク監視ＲＬＭプロセスを実行し、基準状態にビーム障害検出ＢＦＤが含まれる場合は、ＢＷＰに対して設定された少なくとも１つのビーム障害検出ＢＦＤプロセスを実行する。
Ｂ５．帯域幅に対して設定された少なくとも１つの基準状態プロセスを実行する。
例えば、基準状態に無線リンク監視ＲＬＭが含まれる場合は、帯域幅に対して設定された少なくとも１つの無線リンク監視ＲＬＭプロセスを実行し、基準状態にビーム障害検出ＢＦＤが含まれる場合は、帯域幅に対して設定された少なくとも１つのビーム障害検出ＢＦＤプロセスを実行する。
Ｂ６．帯域幅の組み合わせに対して設定された少なくとも１つの基準状態プロセスを実行する。
例えば、基準状態に無線リンク監視ＲＬＭが含まれる場合は、帯域幅の組み合わせに対して設定された少なくとも１つの無線リンク監視ＲＬＭプロセスを実行し、基準状態にビーム障害検出ＢＦＤが含まれる場合は、帯域幅の組み合わせに対して設定された少なくとも１つのビーム障害検出ＢＦＤプロセスを実行する。
Ｂ７．セルに対して設定された少なくとも１つの基準状態プロセスを実行する。
なお、該セルは、端末のサービングセルであってもよいし、端末の設定されたセルであってもよい。
例えば、基準状態に無線リンク監視ＲＬＭが含まれる場合は、セルに対して設定された少なくとも１つの無線リンク監視ＲＬＭプロセスを実行し、基準状態にビーム障害検出ＢＦＤが含まれる場合は、セルに対して設定された少なくとも１つのビーム障害検出ＢＦＤプロセスを実行する。
Ｂ８．キャリアに対して設定された少なくとも１つの基準状態プロセスを実行する。
例えば、基準状態に無線リンク監視ＲＬＭが含まれる場合は、キャリアに対して設定された少なくとも１つの無線リンク監視ＲＬＭプロセスを実行し、基準状態にビーム障害検出ＢＦＤが含まれる場合は、キャリアに対して設定された少なくとも１つのビーム障害検出ＢＦＤプロセスを実行する。
【００３８】
なお、少なくとも２つの基準状態プロセスが実行される場合、前記の前記監視設定パラメータに基づいて、前記基準状態に対応する検出プロセスを行うことは、以下の態様のうちの少なくとも１つを更に含む。
Ｃ１．基準状態プロセスの各々を１つの基準信号ＲＳに対応させる。
即ち、この場合、１つの基準状態プロセスは、１つの基準信号ＲＳのみを測定し、基準状態プロセスに対応する基準状態設定パラメータに基づいて、タイマの計時及びカウンタのカウントを行う。例えば、基準状態に無線リンク監視ＲＬＭが含まれる場合、１つの無線リンク監視ＲＬＭプロセスは、１つの基準信号ＲＳのみを測定し、タイマの計時を行い、非同期カウンタ及び／又は同期カウンタのカウントを行う。基準状態にビーム障害検出ＢＦＤが含まれる場合、１つのビーム障害検出ＢＦＤプロセスは、１つの基準信号ＲＳのみを測定し、タイマの計時を行い、ビーム障害インスタンスカウンタのカウントを行う。
Ｃ２．基準状態プロセスの各々を１つの基準信号ＲＳセットに対応させる。
即ち、この場合、１つの基準状態プロセスは、１つの基準信号ＲＳセットのみを測定し、基準状態プロセスに対応する基準状態設定パラメータに基づいて、タイマの計時及びカウンタのカウントを行う。例えば、基準状態に無線リンク監視ＲＬＭが含まれる場合、１つの無線リンク監視ＲＬＭプロセスは、１つの基準信号ＲＳセットのみを測定し、タイマの計時を行い、非同期カウンタ及び／又は同期カウンタのカウントを行う。基準状態にビーム障害検出ＢＦＤが含まれる場合、１つのビーム障害検出ＢＦＤプロセスは、基準信号ＲＳセット１つのみを測定し、タイマの計時を行い、ビーム障害インスタンスカウンタのカウントを行う。
Ｃ３．基準状態プロセスの各々を１つのＢＷＰに対応させる。
即ち、この場合、１つの基準状態プロセスは、１つのＢＷＰのみを測定し、基準状態プロセスに対応する基準状態設定パラメータに基づいて、タイマの計時、及びカウンタのカウントを行う。例えば、基準状態に無線リンク監視ＲＬＭが含まれる場合、１つの無線リンク監視ＲＬＭプロセスは、１つのＢＷＰのみを測定し、タイマの計時を行い、非同期カウンタ及び／又は同期カウンタのカウントを行う。基準状態にビーム障害検出ＢＦＤが含まれる場合、１つのビーム障害検出ＢＦＤプロセスは、１つのＢＷＰのみを測定し、タイマの計時を行い、ビーム障害インスタンスカウンタのカウントを行う。
Ｃ４．基準状態プロセスの各々を１つのセルに対応させる。
この場合、端末は、少なくとも２つのセルにおける少なくとも２つの基準状態プロセスに対応する。
任意選択で、前記少なくとも２つのセルは、サービングセル及び／又は設定されたセルを含む。
任意選択で、前記少なくとも２つのセルは、少なくとも１つのプライマリセル及び／又は少なくとも１つのセカンダリセルを含む。
即ち、この場合、１つの基準状態プロセスは、１つのセルのみを測定し、基準状態プロセスに対応する基準状態設定パラメータに基づいて、タイマの計時及びカウンタのカウントを行う。例えば、基準状態に無線リンク監視ＲＬＭが含まれる場合、１つの無線リンク監視ＲＬＭプロセスは、１つのセルのみを測定し、タイマの計時を行い、非同期カウンタ及び／又は同期カウンタのカウントを行う。基準状態にビーム障害検出ＢＦＤが含まれる場合、１つのビーム障害検出ＢＦＤプロセスは、１つのセルのみを測定し、タイマの計時を行い、ビーム障害インスタンスカウンタのカウントを行う。
Ｃ５．基準状態プロセスの各々を１つのキャリアに対応させる。
即ち、この場合、１つの基準状態プロセスは、１つのキャリアのみを測定し、基準状態プロセスに対応する基準状態設定パラメータに基づいて、タイマの計時及びカウンタのカウントを行う。例えば、基準状態に無線リンク監視ＲＬＭが含まれる場合、１つの無線リンク監視ＲＬＭプロセスは、１つのキャリアのみを測定し、タイマの計時を行い、非同期カウンタ及び／又は同期カウンタのカウントを行う。基準状態にビーム障害検出ＢＦＤが含まれる場合、１つのビーム障害検出ＢＦＤプロセスは、１つのキャリアのみを測定し、タイマの計時を行い、ビーム障害インスタンスカウンタのカウントを行う。
Ｃ６．基準状態プロセスの各々を１つの帯域幅に対応させる。
即ち、この場合、１つの基準状態プロセスは、１つの帯域幅のみを測定し、基準状態プロセスに対応する基準状態設定パラメータに基づいて、タイマの計時及びカウンタのカウントを行う。例えば、基準状態に無線リンク監視ＲＬＭが含まれる場合、１つの無線リンク監視ＲＬＭプロセスは、１つの帯域幅のみを測定し、タイマの計時を行い、非同期カウンタ及び／又は同期カウンタのカウントを行う。基準状態にビーム障害検出ＢＦＤが含まれる場合、１つのビーム障害検出ＢＦＤプロセスは、１つの帯域幅のみを測定し、タイマの計時を行い、ビーム障害インスタンスカウンタのカウントを行う。
Ｃ７．基準状態プロセスの各々を帯域幅の組み合わせの１つに対応させる。
即ち、この場合、１つの基準状態プロセスは、帯域幅の組み合わせの１つのみを測定し、基準状態プロセスに対応する基準状態設定パラメータに基づいて、タイマの計時及びカウンタのカウントを行う。例えば、基準状態に無線リンク監視ＲＬＭが含まれる場合、１つの無線リンク監視ＲＬＭプロセスは、帯域幅の組み合わせの１つのみを測定し、タイマの計時を行い、非同期カウンタ及び／又は同期カウンタのカウントを行う。基準状態にビーム障害検出ＢＦＤが含まれる場合、１つのビーム障害検出ＢＦＤプロセスは、帯域幅の組み合わせの１つのみを測定し、タイマの計時を行い、ビーム障害インスタンスカウンタのカウントを行う。
【００３９】
更に、前記の前記監視設定パラメータに基づいて、前記基準状態に対応する検出プロセスを行うことは、少なくとも１つの基準状態プロセスの実行中に基準状態リセット条件が存在する場合、目標基準状態のリセットを行うことを更に含む。
【００４０】
なお、該目標基準状態は、以下の情報のうちの１つを含む。
Ｄ１．端末、基準信号ＲＳ、基準信号ＲＳセット、ＢＷＰ、セル、キャリア、帯域幅及び帯域幅の組み合わせのうちの少なくとも１つに対して設定された基準状態。
Ｄ２．リセットが存在する基準信号ＲＳ、基準信号ＲＳセット、ＢＷＰ、セル、キャリア、帯域幅及び帯域幅の組み合わせのうちの少なくとも１つに対して設定された基準状態。
【００４１】
前記基準状態リセット条件は、以下の場合のうちの１つを含む。
Ｄ１．基準信号ＲＳ、基準信号ＲＳセット、ＢＷＰ、セル、キャリア、帯域幅及び帯域幅の組み合わせのうちの少なくとも１つを含む目標リソースの少なくとも１つにリセット、再設定、活性化、非活性化又はハンドオーバが存在する。
Ｄ２．基準状態に対応する設定情報にリセット又は再設定が存在する。
【００４２】
なお、前記設定情報は、以下の情報のうちの少なくとも１つを含む。
Ｅ１．基準状態設定パラメータ。
Ｅ２．基準状態に対応する目標リソース。
【００４３】
更に、目標基準状態のリセットを行うことは、目標基準状態に対応する基準状態設定パラメータのうちの少なくとも一部のパラメータをリセットすることを含む。
【００４４】
前記の少なくとも一部のパラメータをリセットすることは、以下の態様のうちの少なくとも１つを含む。
Ｆ１．タイマのリセット又は停止。
Ｆ２．所定カウンタのリセット。
ここで、基準状態に無線リンク監視ＲＬＭが含まれる場合、前記所定カウンタは、非同期カウンタ及び同期カウンタを含み、基準状態にビーム障害検出ＢＦＤが含まれる場合、前記所定カウンタは、ビーム障害インスタンスカウンタを含む。
【００４５】
この場合、１セットの基準状態設定パラメータに含まれる全てのパラメータをリセットし、又は、１セットの基準状態設定パラメータに含まれる一部のパラメータをリセットする。例えば、基準状態に無線リンク監視ＲＬＭが含まれる場合、タイマのリセットを行うとともに、非同期カウンタ及び同期カウンタのリセットを行う（即ちカウンタのカウント値を初期値にセットする）。
【００４６】
以下、基準状態に無線リンク監視ＲＬＭが含まれることを例に挙げて、本開示の一部実施例の具体的な実現過程を具体的に説明する。
Ｓ１．ネットワーク機器によって設定された無線リンク監視ＲＬＭの監視設定パラメータを取得する。
該無線リンク監視ＲＬＭの監視設定パラメータは、端末毎に設定された１セットの無線リンク監視ＲＬＭ設定パラメータ、端末の少なくとも１つの基準信号ＲＳに対して設定された少なくとも１セットの無線リンク監視ＲＬＭ設定パラメータ、端末の少なくとも１つの基準信号ＲＳセットに対して設定された少なくとも１セットの無線リンク監視ＲＬＭ設定パラメータ、端末の少なくとも１つのＢＷＰに対して設定された少なくとも１セットの無線リンク監視ＲＬＭ設定パラメータ、端末の少なくとも１つのセルに対して設定された少なくとも１セットの無線リンク監視ＲＬＭ設定パラメータ、端末の少なくとも１つのキャリアに対して設定された少なくとも１セットの無線リンク監視ＲＬＭ設定パラメータ、及び端末の少なくとも１つの帯域幅又は帯域幅の組み合わせの少なくとも１つに対して設定された少なくとも１セットの無線リンク監視ＲＬＭ設定パラメータのうちの少なくとも１つを含む。
Ｓ２．無線リンク監視ＲＬＭプロセスを実行する。
このステップの具体的な実現は、端末に対して設定された１つの無線リンク監視ＲＬＭプロセスを実行すること、基準信号ＲＳに対して設定された少なくとも１つの無線リンク監視ＲＬＭプロセスを実行すること、基準信号ＲＳセットに対して設定された少なくとも１つの無線リンク監視ＲＬＭプロセスを実行すること、ＢＷＰに対して設定された少なくとも１つの無線リンク監視ＲＬＭプロセスを実行すること、帯域幅に対して設定された少なくとも１つの無線リンク監視ＲＬＭプロセスを実行すること、帯域幅の組み合わせに対して設定された少なくとも１つの無線リンク監視ＲＬＭプロセスを実行すること、セルに対して設定された少なくとも１つの無線リンク監視ＲＬＭプロセスを実行すること、及びキャリアに対して設定された少なくとも１つの無線リンク監視ＲＬＭプロセスを実行することのうちの少なくとも１つを含む。
Ｓ３．無線リンク監視ＲＬＭプロセスをリセットする。
少なくとも１つの基準信号ＲＳ、少なくとも１つの基準信号ＲＳセット、少なくとも１つのＢＷＰ、少なくとも１つのセル、少なくとも１つのキャリア、少なくとも１つの帯域幅、及び少なくとも１つの帯域幅の組み合わせのうちの少なくとも１つにリセット、再設定、活性化、非活性化又はハンドオーバが存在する場合、又は無線リンク監視ＲＬＭに対応する無線リンク監視ＲＬＭ設定パラメータのリセット又は再設定が存在する場合、又は、無線リンク監視ＲＬＭに対応する基準信号ＲＳ、基準信号ＲＳセット、ＢＷＰ、セル、キャリア、帯域幅及び帯域幅の組み合わせのうちの少なくとも１つのリセット又は再設定が存在する場合、無線リンク監視ＲＬＭプロセスのリセットがトリガーされる。
【００４７】
無線リンク監視ＲＬＭプロセスのリセットは、タイマの停止（即ち、タイマによる計時の停止）、非同期カウンタ及び／又は同期カウンタのリセットを含む。
【００４８】
基準状態にビーム障害検出ＢＦＤが含まれる場合、端末の実行プロセスは、基準状態に無線リンク監視ＲＬＭが含まれる場合における端末の実行プロセスと同様であるため、ここでは説明を省略する。
【００４９】
なお、本開示の上記実施例は、５Ｇ、ｅＬＴＥ又は同様の設定を有する他のシナリオに適用することができる。
【００５０】
本開示の一部実施例において、無線リンク監視ＲＬＭ（又はビーム障害検出ＢＦＤ）の監視設定パラメータによって、前記無線リンク監視ＲＬＭ（又はビーム障害検出ＢＦＤ）に対応する検出プロセスを実行する。それによって、複数の基準信号ＲＳ、ＢＷＰ、セル等に複数の無線リンク監視ＲＬＭプロセス（又は複数のビーム障害検出ＢＦＤプロセス）を有する場合、どの無線リンク監視ＲＬＭプロセス（又はどのビーム障害検出ＢＦＤプロセス）を端末が使用するかを明確にすることで、通信フローを完全にし、ネットワーク通信の信頼性を保証する。
【００５１】
図２に示すように、図２は、本開示の一部実施例に係るネットワーク通信の検出設定方法のフローチャートである。前記ネットワーク通信の検出設定方法は、ネットワーク機器に応用される方法であって、無線リンク監視ＲＬＭ及び／又はビーム障害検出ビーム障害検出ＢＦＤを含む基準状態の監視設定パラメータであって、基準状態設定パラメータを少なくとも１セット含む監視設定パラメータを端末に送信するステップ２０１を含む。
【００５２】
前記監視設定パラメータは、端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分ＢＷＰに対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む。
【００５３】
ここで、少なくとも１つのＢＷＰは、少なくとも１つの活性化されたＢＷＰ及び／又は少なくとも１つの設定されたＢＷＰを含み、前記少なくとも１つのセルは、少なくとも１つのサービングセル及び／又は少なくとも１つの設定されたセルを含む。
【００５４】
１セットの基準状態設定パラメータは、前記基準状態に対する所定カウンタ、前記基準状態に対するタイマの設定時間の長さのうちの少なくとも１つを含み、ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む。
【００５５】
なお、上記実施例におけるネットワーク機器に関する全ての記載は、ネットワーク機器に応用されるネットワーク通信の検出設定方法の実施例に適用することができ、それと同様の技術効果を達することもできる。
【００５６】
図３に示すように、本開示の一部実施例に係る端末３００は、無線リンク監視ＲＬＭ及び／又はビーム障害検出ＢＦＤを含む基準状態の監視設定パラメータであって、基準状態設定パラメータを少なくとも１セット含む監視設定パラメータを取得する取得モジュール３０１と、前記監視設定パラメータに基づいて、前記基準状態に対応する検出プロセスを行う測定モジュール３０２とを含む。
【００５７】
前記監視設定パラメータは、端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分ＢＷＰに対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む。
【００５８】
ここで、少なくとも１つのＢＷＰは、少なくとも１つの活性化されたＢＷＰ及び／又は少なくとも１つの設定されたＢＷＰを含み、前記少なくとも１つのセルは、少なくとも１つのサービングセル及び／又は少なくとも１つの設定されたセルを含む。
【００５９】
前記１セットの基準状態設定パラメータは、前記基準状態に対する所定カウンタ、前記基準状態に対するタイマの設定時間の長さのうちの少なくとも１つを含み、ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む。
【００６０】
更に、前記測定モジュール３０２は、端末に対して設定した１つの基準状態プロセスの実行、基準信号ＲＳに対して設定した少なくとも１つの基準状態プロセスの実行、基準信号ＲＳセットに対して設定した少なくとも１つの基準状態プロセスの実行、ＢＷＰに対して設定した少なくとも１つの基準状態プロセスの実行、帯域幅に対して設定した少なくとも１つの基準状態プロセスの実行、帯域幅の組み合わせに対して設定した少なくとも１つの基準状態プロセスの実行、セルに対して設定した少なくとも１つの基準状態プロセスの実行、及び、キャリアに対して設定した少なくとも１つの基準状態プロセスの実行のうちの少なくとも１つの実行に用いられる。
【００６１】
任意選択で、少なくとも２つの基準状態プロセスが実行される場合、前記測定モジュールは、更に、基準状態プロセスの各々を１つの基準信号ＲＳに対応させること、基準状態プロセスの各々を１つの基準信号ＲＳセットに対応させること、基準状態プロセスの各々を１つのＢＷＰに対応させること、基準状態プロセスの各々を１つのセルに対応させること、基準状態プロセスの各々を１つのキャリアに対応させること、基準状態プロセスの各々を１つの帯域幅に対応させること、及び、基準状態プロセスの各々を帯域幅の組み合わせの１つに対応させることのうちの少なくとも１つを実行する。
【００６２】
更に、前記基準状態プロセスの各々を１つのセルに対応させることは、端末を少なくとも２つのセルで少なくとも２つの基準状態プロセスに対応させることを含む。
【００６３】
任意選択で、前記少なくとも２つのセルは、サービングセル及び／又は設定されたセルを含む。
【００６４】
任意選択で、前記少なくとも２つのセルは、少なくとも１つのプライマリセル及び／又は少なくとも１つのセカンダリセルを含む。
【００６５】
任意選択で、前記測定モジュール３０２は、少なくとも１つの基準状態プロセスの実行中に基準状態リセット条件が存在する場合、目標基準状態のリセットを行うセットユニットを更に含む。
【００６６】
前記基準状態リセット条件は、基準信号ＲＳ、基準信号ＲＳセット、ＢＷＰ、セル、キャリア、帯域幅及び帯域幅の組み合わせのうちの少なくとも１つを含む目標リソースの少なくとも１つにリセット、再設定、活性化、非活性化又はハンドオーバが存在すること、及び、基準状態に対応する設定情報にリセット又は再設定が存在することのうちの１つを含む。
【００６７】
前記設定情報は、基準状態設定パラメータ、及び、基準状態に対応する目標リソースのうちの少なくとも１つを含む。
【００６８】
前記目標基準状態は、端末、基準信号ＲＳ、基準信号ＲＳセット、ＢＷＰ、セル、キャリア、帯域幅及び帯域幅の組み合わせのうちの少なくとも１つに対して設定された基準状態、及び、リセットが存在する基準信号ＲＳ、基準信号ＲＳセット、ＢＷＰ、セル、キャリア、帯域幅及び帯域幅の組み合わせのうちの少なくとも１つに対して設定される基準状態のうちの１つを含む。
【００６９】
更に、前記セットユニットは、目標基準状態に対応する基準状態設定パラメータのうちの少なくとも一部のパラメータをリセットする。
【００７０】
前記の少なくとも一部のパラメータをリセットすることは、タイマのリセット又は停止、及び、所定カウンタのリセットのうちの少なくとも１つを含み、ここで、基準状態に無線リンク監視ＲＬＭが含まれる場合、前記所定カウンタは、非同期カウンタ及び同期カウンタを含み、基準状態にビーム障害検出ＢＦＤが含まれる場合、前記所定カウンタは、ビーム障害インスタンスカウンタを含む。
【００７１】
なお、該端末の実施例は、上記の端末側に応用されるネットワーク通信の状態検出方法に対応する端末であり、上記実施例のすべての実現形態は、該端末の実施例に適用可能であり、それと同様の効果を達成することもできる。
【００７２】
図４は、本開示の一部実施例を実現する端末のハードウェア構造図である。該端末４０は、ラジオ周波数ユニット４１０と、ネットワークモジュール４２０と、音声出力ユニット４３０と、入力ユニット４４０と、センサ４５０と、表示ユニット４６０と、ユーザ入力ユニット４７０と、インタフェースユニット４８０と、メモリ４９０と、プロセッサ４１１と、電源４１２などの構成要素を含むが、これらに限定されない。図４に示される端末の構造は、端末を限定するものではなく、端末は、図示されるよりも多い又は少ない構成要素、又は特定の構成要素を組み合わせ、又は異なる構成要素の配置を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００７３】
ここで、プロセッサ４１１は、無線リンク監視ＲＬＭ及び／又はビーム障害検出ＢＦＤを含む基準状態の監視設定パラメータであって、基準状態設定パラメータを少なくとも１セット含む監視設定パラメータを取得し、前記監視設定パラメータに基づいて、前記基準状態に対応する検出プロセスを行う。
【００７４】
本開示の一部実施例に係る端末は、無線リンク監視ＲＬＭ（又はビーム障害検出ＢＦＤ）の監視設定パラメータによって、前記無線リンク監視ＲＬＭ（又はビーム障害検出ＢＦＤ）に対応する検出プロセスを実行する。それによって、複数の基準信号ＲＳ、ＢＷＰ、セル等に複数の無線リンク監視ＲＬＭプロセス（又は複数のビーム障害検出ＢＦＤプロセス）を有する場合、どの無線リンク監視ＲＬＭプロセス（又はどのビーム障害検出ＢＦＤプロセス）を端末が使用するかを決定することで、通信フローを完全にし、ネットワーク通信の信頼性を保証する。
【００７５】
なお、本開示の実施例において、ラジオ周波数ユニット４１０は、情報の送受信又は通話中で信号の送受信に用いられ、具体的に、ネットワーク機器から下りデータを受信した後、プロセッサ４１１による処理に供し、また、上りデータをネットワーク機器に送信する。一般に、ラジオ周波数ユニット４１０は、アンテナ、少なくとも１つの増幅器、トランシーバ、結合器、低雑音増幅器、デュプレクサなどを含むが、それらに限定されない。また、ラジオ周波数ユニット４１０は、無線通信システムを介してネットワークや他の機器と通信を行うこともできる。
【００７６】
端末は、ネットワークモジュール４２０を介して、電子メールの送受信、ウェブページの閲覧、ストリーミングメディアへのアクセスを支援するなど、無線ブロードバンドインターネットアクセスをユーザに提供する。
【００７７】
音声出力ユニット４３０は、ラジオ周波数ユニット４１０やネットワークモジュール４２０が受信した音声データや、メモリ４９０に記憶された音声データを音声信号に変換して音声として出力することができる。また、音声出力ユニット４３０は、端末４０が実行する特定の機能に関する音声（例えば、呼出信号着信音、メッセージ着信音等）を出力してもよい。音声出力ユニット４３０は、スピーカ、ブザー及びレシーバなどを含む。
【００７８】
入力ユニット４４０は、音声や映像の信号を受信することに用いられる。入力ユニット４４０は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）４４１と、マイク４４２とを含む。処理された画像フレームは、表示ユニット４６０上に表示される。グラフィックスプロセッサ４４１で処理された画像フレームは、メモリ４９０（又は他の記憶媒体）に記憶されるか、又はラジオ周波数ユニット４１０又はネットワークモジュール４２０を介して送信される。マイク４４２は、音声を受信し、音声データに加工することができる。処理された音声データは、電話通話モードの場合、ラジオ周波数ユニット４１０を介して移動体通信基地局に送信可能な形式に変換して出力することができる。
【００７９】
端末４０は、光センサ、モーションセンサ及び他のセンサのような少なくとも１つのセンサ４５０を更に含む。光センサは、周辺光センサ及び近接センサを含む。周辺光センサは、周辺光の明暗に応じて表示パネル４６１の輝度を調節し、近接センサは、端末４０が耳に移動したときに表示パネル４６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横画面切替、関連ゲーム、磁力計姿勢キャリブレーション）、振動認識関連機能（例えば、歩数計、ストローク）などに用いることができる。センサ４５０は、指紋センサ、圧力センサ、虹彩センサ、分子センサ、ジャイロスコープ、気圧計、湿度計、温度計、赤外線センサなどを更に含むことができるが、ここでは枚挙しない。
【００８０】
表示ユニット４６０は、ユーザが入力した情報やユーザに提供した情報を表示するために用いられる。表示ユニット４６０は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル４６１を含んでもよい。
【００８１】
ユーザ入力ユニット４７０は、数字や文字情報の入力を受け付け、ユーザによる端末の設定や機能制御に関するキー信号の入力を行うことに用いられる。具体的に、ユーザ入力ユニット４７０は、タッチパネル４７１と、その他の入力機器４７２とを含む。タッチパネル４７１は、タッチスクリーンとも呼ばれ、その上又は付近でのユーザのタッチ操作を取得可能である（例えばユーザが指やスタイラスなどの任意の適切な物体や付属部材を用いたタッチパネル４７１の上又はタッチパネル４７１の付近での操作）。タッチパネル４７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ４１１に送り、プロセッサ４１１からの命令を受信して実行する。なお、タッチパネル４７１は、抵抗膜式、静電容量式、赤外線、表面弾性波など、種々の方式を用いて実現することができる。ユーザ入力ユニット４７０は、タッチパネル４７１の他に、他の入力機器４７２を含んでもよい。具体的に、他の入力機器４７２は、物理的なキーボード、機能キー（例えば、音量調節キー、スイッチキーなど）、トラックボール、マウス、レバーを含むが、ここでは枚挙しない。
【００８２】
更に、タッチパネル４７１は、表示パネル４６１に重ねられる。タッチパネル４７１は、その上又はその近くでタッチ操作を検出すると、プロセッサ４１１に送信して、タッチイベントのタイプを決定する。次いで、プロセッサ４１１は、タッチイベントのタイプに応じて、対応する視覚的出力を表示パネル４６１に提供する。図４では、タッチパネル４７１と表示パネル４６１は、独立した２つの部品として端末の入出力機能を実現するが、実施例によっては、タッチパネル４７１と表示パネル４６１を一体化して端末の入出力機能を実現することもでき、具体的にここでは限定しない。
【００８３】
インタフェースユニット４８０は、外部装置と端末４０とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インターフェイスユニット４８０は、外部装置から入力（例えば、データ情報、電力など）を受信し、受信した入力を端末４０内の１つ以上の要素に伝送するために使用されてもよく、又は端末４０と外部装置との間でデータを伝送するために使用されてもよい。
【００８４】
メモリ４９０は、ソフトウェアプログラム及び様々なデータを格納するために使用される。メモリ４９０は、オペレーティングシステム、少なくとも１つの機能に必要なアプリケーション（例えば、音声再生機能、画像再生機能など）などを格納することができるプログラム格納領域と、データ格納領域とを主に含んでもよい。データ格納領域は、音声データや電話帳など、携帯電話機の使用に応じて作成されたデータを記憶することができる。更に、メモリ４９０は、高速ランダムアクセスメモリを含んでもよく、少なくとも１つの磁気ディスク記憶装置、フラッシュメモリデバイス、又は他の揮発性固体記憶デバイスなどの不揮発性メモリを含んでもよい。
【００８５】
プロセッサ４１１は、端末の制御センタであり、各種インタフェースや回線を用いて端末全体の各部を接続し、メモリ４９０に格納されたソフトウェアプログラム及び／又はモジュールを実行、メモリ４９０に格納されたデータを呼び出して端末の各種機能及び処理データを実行し、端末全体の監視を行う。プロセッサ４１１は、１つ以上の処理ユニットを含んでもよい。任意選択で、プロセッサ４１１は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ４１１に統合されなくてもよいことが理解される。
【００８６】
端末４０は、各構成要素に電力を供給するためのバッテリのような電源４１２を更に含んでもよい。選択可能に、電源４１２は、電源管理システムを介してプロセッサ４１１に論理的に接続されてもよく、電源管理システムを介して充電、放電、及び消費電力管理などを管理する機能を実現してもよい。
【００８７】
また、端末４０は、図示しない機能モジュールを更に含んでもよく、ここでの説明は省略する。
【００８８】
任意選択で、本開示の実施例は、プロセッサ４１１と、メモリ４９０と、メモリ４９０に格納されて前記プロセッサ４１１で動作可能なコンピュータプログラムを含む端末を更に提供し、該コンピュータプログラムがプロセッサ４１１によって実行されると、端末側に応用されるネットワーク通信の状態検出方法の実施例の各プロセスが実現され、且つ同じ技術効果を奏することもできるので、重複を避けるために、ここでは繰り返して記載しない。
【００８９】
本開示の実施例は、コンピュータプログラムが格納されているコンピュータ読み取り可能な記憶媒体を更に提供し、該コンピュータプログラムがプロセッサによって実行されると、端末側に応用されるネットワーク通信の状態検出方法の実施例の各プロセスが実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００９０】
図５に示すように、本開示の実施例は、ネットワーク機器５００を更に提供し、無線リンク監視ＲＬＭ及び／又はビーム障害検出ＢＦＤを含む基準状態の監視設定パラメータであって、基準状態設定パラメータを少なくとも１セット含む監視設定パラメータを端末に送信する送信モジュール５０１を含む。
【００９１】
前記監視設定パラメータは、端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分ＢＷＰに対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む。
【００９２】
少なくとも１つのＢＷＰは、少なくとも１つの活性化されたＢＷＰ及び／又は少なくとも１つの設定されたＢＷＰを含み、前記少なくとも１つのセルは、少なくとも１つのサービングセル及び／又は少なくとも１つの設定されたセルを含む。
【００９３】
前記１セットの基準状態設定パラメータは、前記基準状態に対する所定カウンタ、前記基準状態に対するタイマの設定時間の長さのうちの少なくとも１つを含み、ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む。
【００９４】
なお、該ネットワーク機器の実施例は、上記のネットワーク機器側に応用されるネットワーク通信の検出設定方法に対応するネットワーク機器であり、上記実施例のすべての実現形態は、該ネットワーク機器の実施例に適用可能であり、それと同様の効果を達成することもできる。
【００９５】
本開示の一部実施例は、メモリと、プロセッサと、メモリに格納されてプロセッサで動作可能なコンピュータプログラムを含むネットワーク機器を更に提供し、前記コンピュータプログラムが前記プロセッサによって実行されると、上記のネットワーク通信の検出設定方法の実施例の各プロセスが実現され、且つ同じ技術効果を奏することもできるので、重複を避けるために、ここでは繰り返して記載しない。
【００９６】
本開示の一部実施例は、コンピュータプログラムが格納されているコンピュータ読み取り可能な記憶媒体を更に提供し、前記コンピュータプログラムがプロセッサによって実行されると、上記のネットワーク通信の状態検出方法の実施例の各プロセスが実現され、且つ同じ技術効果を奏することもできるので、重複を避けるために、ここでは繰り返して記載しない。ここで、前記コンピュータ読み取り可能な記憶媒体は、例えば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００９７】
図６は、本開示の一実施例に係るネットワーク機器の構造図であり、上記のネットワーク機器側に応用されるネットワーク通信の検出設定方法のディテールを実現し、同じ効果を奏することもできる。図６に示すように、ネットワーク機器６００は、プロセッサ６０１と、トランシーバ６０２と、メモリ６０３と、バスインタフェースを含む。ここで、プロセッサ６０１は、メモリ６０３からプログラムを読み取ることによって、無線リンク監視ＲＬＭ及び／又はビーム障害検出ＢＦＤを含む基準状態の監視設定パラメータであって、基準状態設定パラメータを少なくとも１セット含む監視設定パラメータをトランシーバ６０２を介して端末に送信するプロセスを実行する。
【００９８】
図６において、バスアーキテクチャは、任意数の相互接続するバスとブリッジを含み、具体的に、プロセッサ６０１をはじめとする１つ又は複数のプロセッサとメモリ６０３をはじめとするメモリの各種類の回路が接続したものである。バスアーキテクチャは、周辺イクイップメント、レギュレーター、電力管理回路などの各種類のほかの回路を接続したものであってもよい。これらは、いずれも本分野の公知事項であり、本文においてさらなる記載をしない。バスインタフェースにより、インタフェースが提供される。トランシーバ６０２は、複数の部品であってもよく、即ち送信機と受信機を含み、伝送媒体でほかの各種類の装置と通信するユニットとして提供される。
【００９９】
プロセッサ６０１は、バスアーキテクチャと通常の処理を管理する。メモリ６０３は、プロセッサ６０１による操作実行に使用されるデータを記憶できる。
【０１００】
前記監視設定パラメータは、端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分ＢＷＰに対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む。
【０１０１】
少なくとも１つのＢＷＰは、少なくとも１つの活性化されたＢＷＰ及び／又は少なくとも１つの設定されたＢＷＰを含み、前記少なくとも１つのセルは、少なくとも１つのサービングセル及び／又は少なくとも１つの設定されたセルを含む。
【０１０２】
前記１セットの基準状態設定パラメータは、前記基準状態に対する所定カウンタ、前記基準状態に対するタイマの設定時間の長さのうちの少なくとも１つを含み、ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む。
【０１０３】
ここで、ネットワーク機器は、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）又はＣＤＭＡ（Ｃｏｄｅ  Ｄｉｖｉｓｉｏｎ  Ｍｕｌｔｉｐｌｅ  Ａｃｃｅｓｓ）における基地局ＢＴＳ（Ｂａｓｅ  Ｔｒａｎｓｃｅｉｖｅｒ  Ｓｔａｔｉｏｎ）であってもよく、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）における基地局ＮＢ（ＮｏｄｅＢ）であってもよく、更に、ＬＴＥにおけるｅＮＢ又はｅＮｏｄｅＢ（Ｅｖｏｌｕｔｉｏｎａｌ  Ｎｏｄｅ  Ｂ）であってもよく、又は中継局やアクセスポイントであり、又は将来の５Ｇネットワークにおける基地局などであり、ここでは限定されない。
【０１０４】
以上記載されたのは、本開示の選択可能な実施形態である。当業者は、本開示に記載されている原理を逸脱せずに様々な改良や修飾をすることもできる。これらの改良や修飾も、本開示の保護範囲内にある。
【図１】
2021530924.tif 000003
【図２】
2021530924.tif 000004
【図３】
2021530924.tif 000005
【図４】
2021530924.tif 000006
【図５】
2021530924.tif 000007
【図６】
2021530924.tif 000008
【手続補正書】
【提出日】令和3年2月19日(2021.2.19)
【手続補正１】
【補正対象書類名】特許請求の範囲
【補正対象項目名】全文
【補正方法】変更
【補正の内容】
【特許請求の範囲】
【請求項１】
端末に応用されるネットワーク通信の状態検出方法であって、
無線リンク監視ＲＬＭ及び／又はビーム障害検出ＢＦＤを含む基準状態の監視設定パラメータであって、基準状態設定パラメータを少なくとも１セット含む監視設定パラメータを取得することと、
前記監視設定パラメータに基づいて、前記基準状態に対応する検出プロセスを行うこととを含む、ネットワーク通信の状態検出方法。
【請求項２】
前記監視設定パラメータは、
端末に対して設定される１セットの基準状態設定パラメータ、端末の少なくとも１つの基準信号ＲＳに対して設定される少なくとも１セットの基準状態設定パラメータ、端末の少なくとも１つの基準信号ＲＳセットに対して設定される少なくとも１セットの基準状態設定パラメータ、端末の少なくとも１つの帯域幅部分（ＢＷＰ）に対して設定される少なくとも１セットの基準状態設定パラメータ、端末の少なくとも１つのセルに対して設定される少なくとも１セットの基準状態設定パラメータ、端末の少なくとも１つのキャリアに対して設定される少なくとも１セットの基準状態設定パラメータ、及び、端末の少なくとも１つの帯域幅又は帯域幅の組み合わせの少なくとも１つに対して設定される少なくとも１セットの基準状態設定パラメータのうちの少なくとも１つを含む、請求項１に記載のネットワーク通信の状態検出方法。
【請求項３】
少なくとも１つのＢＷＰは、少なくとも１つの活性化されたＢＷＰ及び／又は少なくとも１つの設定されたＢＷＰを含み、前記少なくとも１つのセルは、少なくとも１つのサービングセル及び／又は少なくとも１つの設定されたセルを含む、請求項２に記載のネットワーク通信の状態検出方法。
【請求項４】
前記１セットの基準状態設定パラメータは、
前記基準状態に対する所定カウンタ、前記基準状態に対するタイマの設定時間の長さのうちの少なくとも１つを含み、
ここで、前記基準状態に無線リンク監視ＲＬＭが含まれる場合、前記所定カウンタは、非同期カウンタ及び同期カウンタを含み、前記基準状態にビーム障害検出ＢＦＤが含まれる場合、前記所定カウンタは、ビーム障害インスタンスカウンタを含む、請求項１に記載のネットワーク通信の状態検出方法。
【請求項５】
前記の前記監視設定パラメータに基づいて、前記基準状態に対応する検出プロセスを行うことは、
端末に対して設定した１つの基準状態プロセスの実行、基準信号ＲＳに対して設定した少なくとも１つの基準状態プロセスの実行、基準信号ＲＳセットに対して設定した少なくとも１つの基準状態プロセスの実行、ＢＷＰに対して設定した少なくとも１つの基準状態プロセスの実行、帯域幅に対して設定した少なくとも１つの基準状態プロセスの実行、帯域幅の組み合わせに対して設定した少なくとも１つの基準状態プロセスの実行、セルに対して設定した少なくとも１つの基準状態プロセスの実行、及び、キャリアに対して設定した少なくとも１つの基準状態プロセスの実行のうちの少なくとも１つを含む、請求項１に記載のネットワーク通信の状態検出方法。
【請求項６】
少なくとも２つの基準状態プロセスが実行される場合、前記の前記監視設定パラメータに基づいて、前記基準状態に対応する検出プロセスを行うことは、
基準状態プロセスの各々を１つの基準信号ＲＳに対応させること、基準状態プロセスの各々を１つの基準信号ＲＳセットに対応させること、基準状態プロセスの各々を１つのＢＷＰに対応させること、基準状態プロセスの各々を１つのセルに対応させること、基準状態プロセスの各々を１つのキャリアに対応させること、基準状態プロセスの各々を１つの帯域幅に対応させること、及び、基準状態プロセスの各々を帯域幅の組み合わせの１つに対応させることのうちの少なくとも１つを更に含む、請求項５に記載のネットワーク通信の状態検出方法。
【請求項７】
前記基準状態プロセスの各々を１つのセルに対応させることは、
端末を少なくとも２つのセルで少なくとも２つの基準状態プロセスに対応させることを含む、請求項６に記載のネットワーク通信の状態検出方法。
【請求項８】
前記少なくとも２つのセルは、サービングセル及び／又は設定されたセルを含み、
あるいは、
前記少なくとも２つのセルは、少なくとも１つのプライマリセル及び／又は少なくとも１つのセカンダリセルを含む、請求項７に記載のネットワーク通信の状態検出方法。
【請求項９】
前記の前記監視設定パラメータに基づいて、前記基準状態に対応する検出プロセスを行うことは、
少なくとも１つの基準状態プロセスの実行中に基準状態リセット条件が存在する場合、目標基準状態のリセットを行うことを更に含む、請求項５に記載のネットワーク通信の状態検出方法。
【請求項１０】
前記基準状態リセット条件は、
基準信号ＲＳ、基準信号ＲＳセット、ＢＷＰ、セル、キャリア、帯域幅及び帯域幅の組み合わせのうちの少なくとも１つを含む目標リソースの少なくとも１つにリセット、再設定、活性化、非活性化又はハンドオーバが存在すること、及び、基準状態に対応する設定情報にリセット又は再設定が存在することのうちの１つを含み、及び／又は、
前記目標基準状態は、
端末、基準信号ＲＳ、基準信号ＲＳセット、ＢＷＰ、セル、キャリア、帯域幅及び帯域幅の組み合わせのうちの少なくとも１つに対して設定された基準状態、及び、
リセットが存在する基準信号ＲＳ、基準信号ＲＳセット、ＢＷＰ、セル、キャリア、帯域幅及び帯域幅の組み合わせのうちの少なくとも１つに対して設定される基準状態のうちの１つを含む、請求項９に記載のネットワーク通信の状態検出方法。
【請求項１１】
前記設定情報は、基準状態設定パラメータ、及び、基準状態に対応する目標リソースのうちの少なくとも１つを含む、請求項１０に記載のネットワーク通信の状態検出方法。
【請求項１２】
前記の目標基準状態のリセットを行うことは、
目標基準状態に対応する基準状態設定パラメータのうちの少なくとも一部のパラメータをリセットすることを含み、
前記の少なくとも一部のパラメータをリセットすることは、
タイマのリセット又は停止、及び、所定カウンタのリセットのうちの少なくとも１つを含み、
ここで、基準状態に無線リンク監視ＲＬＭが含まれる場合、前記所定カウンタは、非同期カウンタ及び同期カウンタを含み、基準状態にビーム障害検出ＢＦＤが含まれる場合、前記所定カウンタは、ビーム障害インスタンスカウンタを含む、請求項９に記載のネットワーク通信の状態検出方法。
【請求項１３】
ネットワーク機器に応用されるネットワーク通信の検出設定方法であって、
無線リンク監視ＲＬＭ及び／又はビーム障害検出ＢＦＤを含む基準状態の監視設定パラメータであって、基準状態設定パラメータを少なくとも１セット含む監視設定パラメータを端末に送信することを含む、ネットワーク通信の検出設定方法。
【請求項１４】
無線リンク監視ＲＬＭ及び／又はビーム障害検出ＢＦＤを含む基準状態の監視設定パラメータであって、基準状態設定パラメータを少なくとも１セット含む監視設定パラメータを取得する取得モジュールと、
前記監視設定パラメータに基づいて、前記基準状態に対応する検出プロセスを行う測定モジュールとを含む、端末。
【請求項１５】
無線リンク監視ＲＬＭ及び／又はビーム障害検出ＢＦＤを含む基準状態の監視設定パラメータであって、基準状態設定パラメータを少なくとも１セット含む監視設定パラメータを端末に送信する送信モジュールを含む、ネットワーク機器。
【国際調査報告】
2021530924.tif 000009
2021530924.tif 000010
2021530924.tif 000011
2021530924.tif 000012